(57)【要約】【課題】  自動的に開成するドアを備えた高周波加熱装置において、ドアが開き始める時間を可変可能として使い勝手を向上させる。【解決手段】  食品２を収納する加熱室３と、前記加熱室３の開口部４に装備した開閉自在なドア６と、前記ドア６の開閉に連動して作動するドアスイッチ１２と、ドア６が閉じたとき加熱室３の開口部４の周囲を構成する前板５にドア６を密着するよう引力するコイルバネ１０と、一端を前記ドア６に回転可能に接続し、他端をコイルバネ１０に接続したドアアーム７と、前記ドア６の取っ手６ｂ又は操作部１５に取っ手スイッチ６ｃを設け、取っ手スイッチ６ｃを操作した時にドア６を開成するドア開成駆動手段１３と、ドア開成駆動手段１３を動作させる制御部１４とを備えた高周波加熱装置において、取っ手スイッチ６ｃの操作後、ドア６を自動で開成するドア開成駆動手段１３の動作を開始するまでの時間を可変可能とした。【選択図】  図２
2005344980.tif 000002
【特許請求の範囲】
【請求項１】
食品（２）を収納する加熱室（３）と、前記加熱室（３）の開口部（４）に装備した開閉自在なドア（６）と、前記ドア（６）の開閉に連動して作動するドアスイッチ（１２）と、ドア（６）が閉じたとき加熱室（３）の開口部（４）の周囲を構成する前板（５）にドア（６）を密着するよう引力するコイルバネ（１０）と、一端を前記ドア（６）に回転可能に接続し、他端をコイルバネ（１０）に接続したドアアーム（７）と、前記ドア（６）の取っ手（６ｂ）又は操作部（１５）に設けた取っ手スイッチ（６ｃ）と、ドア（６）を閉じている時で、かつ、取っ手スイッチ（６ｃ）を操作した時にドア（６）を開成するドア開成駆動手段（１３）と、ドア開成駆動手段（１３）を動作させる制御部（１４）とを備えた高周波加熱装置において、取っ手スイッチ（６ｃ）の操作後、ドア（６）を自動で開成するドア開成駆動手段（１３）の動作を開始するまでの時間を可変可能としたことを特徴とする高周波加熱装置。
【請求項２】
操作部（１５）に、ドア（６）を開成させるためのドア開成駆動手段（１３）の動作を開始するまでの時間を設定できる遅延時間設定キー（１５ａ、１５ｂ）を設け、ドア開成駆動手段（１３）が自動で動作を開始するまでの時間を自由に設定できることを特徴とする請求項１記載の高周波加熱装置。
【請求項３】
操作部（１５）にドア開成駆動手段（１３）の動作遅延設定キー（１５ｃ）を設け、動作遅延設定キー（１５ｃ）を操作した後にドア（６）を手動で開成することにより、ドア（６）が開き始めまでに要した時間を制御部（１４）で測定し、その要した時間を、次回からドア開成駆動手段（１３）が自動で動作を開始するまでの時間と同じにすることを特徴とする請求項１記載の高周波加熱装置。
【発明の詳細な説明】
【技術分野】
【０００１】
本発明は、高周波加熱装置のドアの自動開成機構に関するものである。
【背景技術】
【０００２】
高周波加熱装置のドアは加熱室の開口部を塞ぐために設けられたもので、食品の調理中に加熱室内の高周波が外部に漏洩しないようにするとともに、熱や水蒸気などもできるだけ加熱室外に漏れないようにする構造が取り入れられている。
【０００３】
また、食品の有無や、加熱中食品の加熱状況が観察できるように耐熱ガラス越しに加熱室内が覗けることができるようにしており、さらに、ファインダ部には金属板にパンチング穴を施して、視認性をある程度保ちながら高周波が漏洩しないような構造が取り入れられている。
【０００４】
従って、ドアの構造が複雑になり、ドアの重量が重くなるとともに、加熱室の開口部周辺の平面部と密着を良くするためドアをコイルバネなどで強く引き込んだりするため開閉動作が重くなる傾向にあった。
【０００５】
また、加熱する食品や水の入った重い容器などを両手で持っているとき、又は手が汚れている等によりドアの取手を握ることができず、指を取手に引っ掛けて開けようとした時などは、ドアの開閉動作が重いため、開成操作が行ないにくい場合が多々生じることがあった。
【０００６】
このため、使用者ができるだけ使いやすくするために特許文献１に開示されているように、操作パネルのキーボードを操作して電動装置を電気的に作動させ、ドアを固定しているドアキーを開放してドアを開成させる構成のものがあった。
【０００７】
【特許文献１】特開２００２−２６７１７７号公報
【発明の開示】
【発明が解決しようとする課題】
【０００８】
特許文献１に示すものは、キーボードからの信号で電動装置を作動させ、ドアのドアキーを内部から開放してドアを自動で開ける方式で、そのドアを開けるスイッチを操作した後、ドアが開くまでの時間は一定となっていた。そのため、使用者の個人差によってはドアが開くまでの時間が早すぎて特にオーブン使用後はドアが高温になっていることもあり、ドアを開ける操作をした手や体の退避が間に合わず、開くドアに当って火傷をするおそれがあった。また、逆に遅すぎると使い勝手が悪いという問題もあった。
【課題を解決するための手段】
【０００９】
本発明は上記の問題を解決するためになされたもので、請求項１では、食品を収納する加熱室と、前記加熱室の開口部に装備した開閉自在なドアと前記ドアの開閉に連動して作動するドアスイッチと、ドアが閉じたとき加熱室の開口部の周囲を構成する前板にドアを密着するよう引力するコイルバネと、一端を前記ドアに回転可能に接続、他端をコイルバネに接続したドアアームと、前記ドアの取っ手又は操作部に設けた取っ手スイッチと、ドアを閉じている時で、かつ、取っ手スイッチを操作した時にドアを開成するドア開成駆動手段と、ドア開成駆動手段を動作させる制御部とを備えた高周波加熱装置において、取っ手スイッチの操作後、ドアを自動で開成するドア開成駆動手段の動作を開始するまでの時間を可変可能にしたものである。
【００１０】
また、請求項２では、操作部に、ドアを開成させるためのドア開成駆動手段の動作を開始するまでの時間を設定できる遅延時間設定キーを設け、ドア開成駆動手段が自動で動作を開始するまでの時間を自由に設定できるようにしたものである。
【００１１】
さらに、請求項３では、操作部にドア開成駆動手段の動作遅延設定キーを設け、動作遅延設定キーを操作した後にドアを手動で開成することにより、ドアが開き始めまでに要した時間を制御部で測定し、その要した時間を、次回からドア開成駆動手段が自動で動作を開始するまでの時間と同じにすることができるものである。
【発明の効果】
【００１２】
本発明の請求項１によれば、ドアが開き始める時間を使用者個人の感覚に合わせられるようになり、使用者の様々な要求に対応でき、使い勝手が向上する効果がある。
【００１３】
また、請求項２によれば、ドアの開き始める時間を操作部から設定できるので使用者は自由にそして簡単に設定時間を調整することができる効果がある。
【００１４】
さらに、請求項３によれば、より一層正確に、そして誰にでも簡単にドアの開き始める時間を設定できる効果がある。
【発明を実施するための最良の形態】
【００１５】
以下、本発明の実施例を図１から図６に従って説明する。
【００１６】
図１において、１は本体である。２は食品である。３は食品２を収納する加熱室である。４は加熱室３に食品２を出し入れする開口部である。５は前板で、加熱室３の開口部４の周囲を構成する部品であり、金属の平板からなっている。
【００１７】
６は開閉自在なドアで、食品２を加熱室３に出し入れするとき使用するものであり、食品２の加熱中は前板５に密着している。６ａはファインダで、ドア６のほぼ中央部に設けられ、ドア６が閉じられているとき加熱室３内の様子を観察できるようになっている。６ｂはドア６を開閉するとき使用する取っ手である。６ｃは取っ手スイッチで、図示するように取っ手６ｂ又は後述する操作部１５に設けられており、ドア６を自動で開成するとき使用するものである。
【００１８】
７はドアアームで、一端は前板５の左右２箇所に設けられた穴５ａを貫通してドア６に回転自在に接続され、他端は後述コイルバネ１０に接続されている。このドアアーム７は、ドア６が開ききったとき安定になるよう支えたりするものである。
【００１９】
８は加熱室３や下記に説明する構成部品を覆うキャビネットである。
【００２０】
図２から図４はキャビネット８を除去した状態の右側面図で、９は前記ドアアーム７がスムーズに動作できるように設けられたローラである。そして、ドア６が開ききったとき、ドアアーム７に設けられたＬ形状したストッパー部７ｂでローラ９を受け止めドア６を安定に固定させる働きがある。
【００２１】
１０はコイルバネで、一端は前記ドアアーム７に接続され、もう一方はドア６を回転中心６ｅで支えるドアヒンジ１１ａに固定され、さらにドアヒンジ２３は本体１を構成する底板１１に固定されている。
【００２２】
また、コイルバネ１０は、ドア６の開閉にともないドアアーム７がローラ９の上を移動し、その動きに伴い伸びることで、縮もうとするエネルギーが主に利用される。例えば、ドア６を閉めたときは、ローラ９を支点としてコイルバネ１０が縮もうとするエネルギーによりドア６を前板５に密着させる力として働き、またドア６を開けて行くとドア６の自重で急激に開くのを防止し、さらに開ききって停止するときの衝撃を和らげる働きをする。
【００２３】
このようにしてドア６が前板５に密着固定することにより高周波で食品２を加熱中、ドア６と前板５間から高周波や食品２からでる水蒸気を外部に漏洩することが防止できる。
【００２４】
１２はドアスイッチで、ドアアーム７に連動しており、ドア６が開けられた時はＯＦＦとなり、ドア６が閉じられた時はＯＮになるように設定されている。
【００２５】
１３ａは前板５を貫通して設けられ限定された区間だけ移動可能なプランジャーである。１３ｂは開放モータで、前記プランジャー１３ａの移動力の動力源である。１３ｃは位置検出スイッチで、ドア６が閉められている時のプランジャー１３ａの格納時の位置を検出するものである。これら符号１３ａ、１３ｂおよび１３ｃで構成されるユニットをドア開成駆動手段１３と称する。
【００２６】
１４は制御部で、前記ドアスイッチ１２や前記取っ手スイッチ６ｃなどのＯＮからＯＦＦになる情報でドア６の開成を制御したり、食品２を加熱するための高周波出力や加熱時間を制御したりするところである。
【００２７】
図５において、１５は使用者が本高周波加熱装置を動作させる際に操作する操作部で、図示するように各種の加熱方法や加熱時間を設定するキーが設けられており、制御部１４と電気的に接続されている。
【００２８】
また、この操作部１５内には、自動でドア６が開き始めるまでの時間を設定するための遅延時間設定キー１６が設けられており、そのうち１６ａは遅延時間アップキーで１６ｂが遅延時間ダウンキーである。尚、１７は加熱方法や加熱時間を表示する表示部である。
【００２９】
また、図６において、操作部１５内にある１６ｃは動作遅延設定キーで、使用者が動作遅延設定キー１６ｃを操作し、その後、手動でドア６が開かれるまでの遅延時間を制御部１４が測定を開始するためのものである。
【００３０】
このように構成された高周波加熱装置の作用について説明する。
【００３１】
使用者が食品２を加熱室３に収納し、取っ手６ｂをつかんでドア６を持ち上げるように動かすとドアアーム７のストッパー部７ｂが固定されているローラ９からはずれ、ドアアーム７に固定されているコイルバネ１０に引っ張られて移動し、ドア６が開口部４を塞ぐとともに前板５に密着固定される。
【００３２】
ドア６が前板５に密着固定された状態ではドアスイッチ１２はドアアーム７に押されて図３で示すようにＯＮ状態に設定される。このドアスイッチ１２のＯＮ情報は制御部１４に伝えられ、高周波加熱装置は加熱待機状態となるとともに、ドア開成駆動手段１３も動作待機状態となる。
【００３３】
使用者は操作部１５より加熱に必要な項目を選定して設定し、加熱開始の操作をすると制御部１４の指示により高周波を発振するマグネトロン（図示せず）などが動作して加熱が始まる。
【００３４】
加熱の進行状況はドア６のファインダ６ａから加熱室３の食品２を覗き見ることができる。そして設定された温度もしくは時間に達するとマグネトロンなどの動作が停止して加熱は終了する。
【００３５】
加熱が終了すると、使用者はドア６に設けられた取っ手スイッチ６ｃを手で押して放す操作をすることで電気信号がＯＮからＯＦＦになった情報が制御部１４に伝えられる。
【００３６】
そして、制御部１４は、電気信号がＯＮからＯＦＦになったことで、使用者の手が取っ手スイッチ６ｃから離れたことを確認することができる。その後、あらかじめ設定してあったドア開成駆動手段１３の動作を開始させるための遅延時間を待ってドア開放駆動手段１３内の開放モータ１３ｂを動作させ、プランジャー１３ａで前板５に密着しているドア６を押し開く動作に入る。ただし、取っ手スイッチ６ｃの役割をするスイッチがドア以外の場所に設置された場合は、スイッチを押されて電気信号がＯＮになった時にＯＦＦを待たずに遅延時間のカウントを始め、遅延時間経過後にドア６を開き始めるための動作を開始することも可能である。
【００３７】
また、開放モータ１３ｂの駆動回路にインバータ制御方式などを採用することで開放モータ１３ｂの回転速度を可変することができ、ドア６の開き始めはゆっくりと動作し、次第に早くすることも可能である。
【００３８】
プランジャー１３ａに押し開かれたドア６は前板５から離れ始める。ドア６が閉まっているときはドア６のドア重心６ｄがドア６の回転中心６ｅよりも前板５側にあるため、ドア６は安定して前板５に接していた。しかしプランジャー１３ａに押されドア６が開き始めるとドア重心６ｄも同時に移動を始め、開き角度が増すことでドア重心６ｄが回転中心６ｅよりドア６が開く方向に移動し、更に開き角度が増し続けると、今度はドア６の自重でドア６は開成する。
【００３９】
プランジャー１３ａの移動距離は、ドア６が自重で開き始める位置より更にドア６が開いた位置まで届く距離とし、その後、自動的にプランジャー１３ａは格納位置に戻って停止する。この停止位置は位置検出スイッチ１３ｃによって決定することができる。自動でプランジャー１３ａを戻す方法としては、戻す位置に新たにスイッチを設け、プランジャー１３ａがそのスイッチを押すと開放モータ１３ｂを逆転させて戻す方法や、カムなどを使用してモータの回転を直線運動に変更し、モータの回転方向は常に一定方向に回転を続けることでプランジャー１３ａを突出させ、その後引っ込めることは簡単な構造で実現可能である。
【００４０】
ドア６が自重で開き始め、そして、ドアアーム７のストッパー部７ｂがローラ９に達すると図４で示すようにドア６は全開し開成動作は完了する。
【００４１】
次に図５より使用者によるドア６の開き始めの時間を設定する方法について説明する。
【００４２】
上記したように、操作部１５にはドアの開き始めるまでの時間を設定するための、遅延時間アップキー１６ａと遅延時間ダウンキー１６ｂが設けられている。従って使用者が使い勝手に合わせて同キー１６ａ及び１６ｂを操作することにより、好みの時間を設定することができ、また、設定した時間などは加熱方法や加熱時間などを表示する表示部１７に表示することにより、使用者が現在の設定を確認することができる。
【００４３】
使用者が設定したドアが開き始める時間は、制御部１４に設けられた記録素子（ＥＥＰＲＯＭなど）に伝えられて、記憶され、次回から使用者が設定した時間でドア６を開き始めることができる。尚、本実施例では専用の遅延時間設定キー１６ａ、１６ｂを設けたが、操作キーの構成により専用のキーを設けられない場合はオーブン調理時の加熱室内の温度を設定する温度設定キーやオート調理の仕上がり調節に使用する仕上がり調節キーなどと併用してもよい。
【００４４】
また、図６には操作部１５に動作遅延設定キー１６ｃが設けられており、使用者がこの動作遅延設定キー１６ｃを操作することにより制御部１４は手動でドア６が開かれるまでの遅延時間を測定開始するものである。測定開始から手動でドア６が開き始めてドアスイッチ１２がＯＦＦするまでの時間を遅延時間として、その要した時間を以後自動でドア６を開けるときの遅延時間として記憶される。これによって、次回からドア６を自動で開成する時間を手動でドア６を開けた時と、同じ時間で開成することが可能となり、使用者に合ったドア開成時間がより的確に設定できる。
【００４５】
また、動作遅延設定キー１６ｃを操作してからドア６を開ける手順では、操作し難い場合は、動作遅延設定キー１６ｃを操作した後に音もしくは光などを出して、合図を送り、この合図で使用者がドア６を開け、制御部１４もこの合図で時間の測定を開始することも可能である。
【図面の簡単な説明】
【００４６】
【図１】本発明の一実施例における高周波加熱装置の外観斜視図である。
【図２】本発明の一実施例における高周波加熱装置のドアが半開している状態でキャビネットを除去した場合の右側面図である。
【図３】本発明の一実施例における高周波加熱装置のドアが密閉している状態でキャビネットを除去した場合の右側面図である。
【図４】本発明の一実施例における高周波加熱装置のドアが全開している状態でキャビネットを除去した場合の右側面図である。
【図５】本発明の一実施例における高周波加熱装置の操作部の一例を示す説明図である。
【図６】本発明の一実施例における高周波加熱装置の操作部の別の一例を示す説明図である。
【符号の説明】
【００４７】
２    食品
３    加熱室
４    開口部
５    前板
６    ドア
６ｂ  取っ手
６ｃ  取っ手スイッチ
１０  コイルバネ
１２  ドアスイッチ
１３  ドア開成駆動手段
１５  操作部
１６  遅延時間設定キー
１６ａ遅延時間アップキー
１６ｂ遅延時間ダウンキー
１６ｃ動作遅延設定キー
【図１】
2005344980.tif 000003
【図２】
2005344980.tif 000004
【図３】
2005344980.tif 000005
【図４】
2005344980.tif 000006
【図５】
2005344980.tif 000007
【図６】
2005344980.tif 000008